(57)【要約】      （修正有）【課題】昼夜を問わず視認性を向上させ、立体的で竿にからみ難い光るのぼり旗を提供する。【解決手段】薄い光透過性のある素材を用いて、のぼりを円柱又は、角柱の袋状にし、その内部に光源を取り付ける。内部の上部及び下部に連結しない独立した構造物を付け、さらに、底辺の構造物に球体の錘を内蔵する。【選択図】図１
0003161056.tif 000002
【実用新案登録請求の範囲】
【請求項１】
既存の一枚布等に印刷されたのぼりと違い、薄い光透過性のある素材を用いて、のぼりを袋状にし、その内部に防水型光源を取り付けた。
昼間はのぼりの役目を担う広告物として、夜は、提灯の役目を担う、光るのぼり旗
【請求項２】
袋状の形態を維持するために内部の上部及び下部に連結しない独立した構造物を付けた。
さらに、底辺の構造物に球体の錘を内蔵する事で重力を利用して形状が安定するようにし、錘の重量を調整する事により風である程度揺れと又は、変形するようにした。
また、取り付け時に多少傾斜を付ける事で、重力の作用で錘が常に最下部になるため、のぼり旗のからみ防止や、復元力の役目もする請求項１の光るのぼり旗
【請求項３】
のぼりの本体内部に電気配線を内蔵させ、配線のからみを防止の役目ももたせた。請求項１である。
【請求項４】
光るのぼり旗は、１２V用LEDに光源を変える事で、屋台やリヤカー等にも車用バッテリーを使用して、取り付けできる様にした。請求項１である。
【考案の詳細な説明】
【技術分野】
【０００１】
本考案は、のぼり旗を袋状にして、昼間はのぼり旗、夜は提灯の役割を持たせる事と、のぼり旗のからみを軽減する又、初期位置復元力を持たせた技術に関するものである。
【背景技術】
【０００２】
従来型のぼり旗は、夜の視認性が極端に落ち、昼のみの広告宣伝物であった。
幾分かは、店舗や街灯等の間接照明による光で視認性か得られたが、夜の視認性は、昼間とは、極端に落ちる。
よって夜は、間接照明等で広告物の役割をかろうじてはたしていた。
その欠点解消策でLED光源をのぼり旗用の竿部分や竿の固定器具下部等、又のぼり旗取り付け竿上部に付けた間接照明式もあるが、あくまで間接照明であり視認性向上に不満が残る。
【０００３】
のぼり旗は、風で簡単にからみ広告宣伝の役割を著しく損なう事が多い
【０００４】
夜の屋台等では、提灯以外に夜間利用できる広告物が極端に限られていた。
【先行技術文献】
【特許文献】
【０００５】
【特許文献１】実登３１１８７７１
【０００６】
【特許文献２】実登３０２９８５９
【考案の概要】
【考案が解決しようとする課題】
【０００７】
のぼり旗に夜の視認性を高めて、昼間同様かそれ以上の宣伝効果をもたせたい
【０００８】
のぼり旗が風で竿にからみ付き、広告面が見えにくくなる事を改善したい
【０００９】
のぼり旗の概念を変えて、変化ある立体的な形状が作れるようにしたい。
【００１０】
常に元の位置に復元できる作用を持たせたい
【００１１】
のぼり旗に広告宣伝の領域を広めたい、車に搭載、屋台等に活用と昼夜問わず使える万能な、のぼり旗を作りたい。
【課題を解決するための手段】
【００１２】
のぼり旗は、本来一枚の布地が基本でしかも透けて見え、風に大きくなびく事で視認性を向上させている。
本考案は、のぼり旗が風で揺れる事で視認性を高めるのではなく、光透過性の薄いシートを2枚合わせて、袋状にし、そのユニークな立体形状や光透過性素材を広告面に使用して、内蔵した光源による照明で昼夜問わず視認性を向上させて、のぼり旗の広告宣伝効果を上げる様にしてある。
【００１３】
袋状の形状成形のために、のぼり旗広告物の本体上部に中空にできる構造物を広告面に直接固定した。
また同様にのぼり旗下部にも中空にできる構造物を広告面に固定した。
上部構造物と下部構造物は、連結してない為に収納時には小さくできる。
【００１４】
上部構造物と下部構造物が連結せずに、のぼり旗の形状を維持できるようにのぼり旗下部に球体の錘を置き、重力作用で常にのぼり旗の中空の形状を維持できるようにした。
【００１５】
上部構造物と下部を連結せず独立した構造物により、のぼり旗に風等で変化が出る形状にした。
また、風の抵抗を弱める効果も持たせた。
【００１６】
上部及び連結されてない下部の構造物に形の変化を持たせる事で、幾通りもの形状が製作できるようにした。
【００１７】
さらに安全性向上と突風対策や雨対策用に、光源部分に防水加工を施し、さらに衝撃吸収カバーを取り付けた。
【００１８】
配線の巻き付き改善のために、光源用配線をのぼり旗本体部分の竿通しに内蔵した。
【００１９】
取り付けは、従来型のぼり旗専用竿にした。また広告面は印刷が容易な素材にした。
【００２０】
のぼり旗が中空の為に、上部及び下部から小動物が入らないよう網状の構造物にした。
【００２１】
のぼり旗最下部に球体の錘を内蔵する事で、常に取り付け時の位置に復元できるようにした。
【００２２】
屋台や移動販売車に容易に活用できる様に、光源を１２V用LED光源等も使用できる様にした。また、形状も上部と下部の構造物を変化させる事で、業種に合った形状が容易につくれる。これまでには無い、新考案である。
【考案の効果】
【００２３】
内照式光源で、のぼり旗の夜の視認性を高められた。
【００２４】
光るのぼり旗は、一般に流通しているのぼり用の竿に取り付けるために、配線用コンセントを外し、竿立てから抜けば容易に収納できる。
管理できない時間帯や、風の強い日等にも容易に収納でき、本体の安全管理が容易にできるようになった。
【００２５】
光源を内照式にしたために、小さな照度で効率よくのぼり旗を光らせる事がでる事で、結果てきには、間接照明より、効率よく視認性を上げる事が可能となる。
【００２６】
光源を電球型蛍光等やLEDランプ等の使用ができるために電球より熱を出さない
その結果、直接広告物本体にふれても、やけど等の心配が無いので安全である。
【００２７】
ほとんどの校正部品を一般流通商品で構成しているために、製作コストが落とせた。
【００２８】
防水用部品と衝撃防止部品を装着しているため、それと、のぼり旗自体の形状が袋状のため、クッションの役目を果たし、建物等に多少ぶつかっても壊れにくい構造になり、雨や風にも耐えられる事で、本体自体の耐久性が向上した。
【００２９】
また下部に内蔵した錘を球体にする事で、重力の作用を効率よく利用できて、本体自体の回転を防止する役目をしている。のぼり旗のからみ防止効果もある。
又、位置復元効果もある。
【００３０】
移動販売車に１００V及び１２V用光源が選べるので、夜でも視認性の高い広告宣伝物が誕生した。
【実施例】
【００３１】
図１に示すように、のぼり旗を袋状にして、その内部に光源を設けて、のぼり旗を内部から照らす事で、夜の視認性向上を図ると共に、のぼり旗を立体構造にして、より目立つユニークな形状を表現できるようにしたものである。
【００３２】
２番のように、上部と下部に結束バンド等で固定した、構造物でのぼり旗を立体化した。また、それを小動物侵入防止ように網状の構造物にした。
【００３３】
６番ように、のぼり旗内部に光源を設ける。１００V及び１２Vがある。
【００３４】
７番のように、光源配線をのぼり旗筒内に内蔵する事で、配線のからみを軽減している。
【００３５】
８番のように、のぼり旗最下部に球体の錘を内蔵する。
【００３６】
図２の様に、光源を防水加工してある。
【００３７】
１２番のように、光源を衝撃や雨から保護するために、筒状の保護カバーを被せている。
【００３８】
１５番及び１６番のように、空気穴と水抜け用の穴を設けた。
【産業上の利用可能性】
【００３９】
夜ののぼり旗を見れば、一目同然、昼行灯である。
夜の広告宣伝効果は、間接照明や照明装置が無いと役に立たないのは、明白である。
内照明式のぼり旗だと、暗い駐車場や、屋上等でも十分宣伝効果は、期待できる。
急な天候不良にも対応できる。コンセントを抜いて、光るのぼり旗を竿立てから抜けば容易に収納できる。
今、差別化が求められている。本考案の光るのぼり旗なら、業種や店主の個性を表現できる、造形が可能だ、ビール方、焼き鳥方、魚型、車方、アイデアは、無限にでる。
それを、個性的な差別化戦略に大いに力を発揮するであろう。創造するとわくわくする。
ビール方光るのぼりがあると、店側の吸引力は、抜群だと確信する。
それに、見本を飲食店店主に見せたら是非導入したいとの嬉しい言葉も頂いた、ぜひ早く世に普及させて、個性的な造形物をこの目で発見し又自分で創造したい、楽しみたい、
よって、利用する業種は、莫大な数に成るとおもわれる。
【図面の簡単な説明】
【００４０】
【図１】図１はのぼり旗本体と光源や錘の図である
【図２】図２は光源の拡大図である。
【図３】図３は上部及び下部の造形物である。
【符号の説明】
【００４１】
１  筒状ののぼり旗本体である。また広告印字面である。
２  のぼり旗の上部の形状を造形するのと同時に小動物進入防止用造形物である。
３  のぼり旗の下部の形状を造形するのと同時に小動物進入防止用造形物である。
４  市販用一般のぼり用竿である。
５  のぼり旗上部で固定する上部耳である。
６ のぼり旗内部の光源である
７ のぼり旗を竿に取り付ける筒状用の耳である。
８ のぼり下部に設けた球体の錘である。
９ 光源用配線である。
１０ 光源である。
１２ 光源用カバーである。
１３ 光源用配線である。
１４ 光源配線通し穴であり、また水やゴミが入らぬよう密閉した箇所である。
１５ 空気穴である
１６ 光源用水抜き穴である。
１７ のぼり旗を造形する上下構造物である。炭焼き網を代用した。
【図１】
0003161056.tif 000003
【図２】
0003161056.tif 000004
【図３】
0003161056.tif 000005
【手続補正書】
【提出日】平成22年5月14日(2010.5.14)
【手続補正１】
【補正対象書類名】実用新案登録請求の範囲
【補正対象項目名】全文
【補正方法】変更
【補正の内容】
【実用新案登録請求の範囲】
【請求項１】
薄い光透過性のある素材を用いて、のぼりを円柱又は、角柱の袋状にし、その内部に光源を取り付けた、光るのぼり旗。
【請求項２】
袋状の形態を維持するために内部の上部及び下部に連結しない独立した構造物を付け、さらに、底辺の構造物に球体の錘を内蔵する事で重力を利用して形状が安定するようにし、錘の重量を調整する事により風である程度揺れと又は、変形するようにし、取り付け時に多少傾斜を付ける事で、重力の作用で錘が常に最下部になるため、のぼり旗のからみ防止や、復元力の役目もする請求項１の光るのぼり旗。
【請求項３】
のぼりの本体内部に電気配線を内蔵させ、配線のからみを防止の役目ももたせた請求項１の光るのぼり旗。
【請求項４】
光るのぼり旗は、１２V用LEDに光源を変える事で、屋台やリヤカー等にも車用バッテリーを使用して、取り付けできる様にした請求項１の光るのぼり旗。